(57)【要約】【課題】際刈りをしたときの刈り際を良好にできる刈払機を提供する。【解決手段】刈払機１０は、支持棹１１の前端部に回転可能に設けた回転刃１４と、支持棹１１の前端部にて回転刃１４の回転範囲１４ａの前縁部よりも前側に設けられて回転刃１４の回転範囲１４ａの前側を保護する円弧形の前側ガード部２３と、回転刃１４の回転軸線を水平となるように起立させたときに直線の外周部で地面に接地する接地部２２とを有したガード体２０とを備えた。【選択図】図２
2019062762.tif 000002
【特許請求の範囲】
【請求項１】
支持棹の前端部に回転可能に設けた回転刃と、
前記支持棹の前端部にて前記回転刃の回転範囲の前縁部よりも前側に設けられて前記回転刃の回転範囲の前側を保護する円弧形の前側ガード部と、前記回転刃の回転軸線を水平となるように起立させたときに直線、直線と円弧形、または、前記前側ガード部よりも曲率半径の大きな円弧形の外周部で地面に接地する接地部とを有したガード体と、を備えたことを特徴とする刈払機。
【請求項２】
請求項１に記載の刈払機において、
前記支持棹の前端部にて前記回転刃の回転範囲の後側を覆うように設けたカバーを備え、
前記カバーは前記回転刃の後側にて前記回転刃の回転方向の上流側の側部位置から下流側の側部の一部を覆う扇形をしており、
前記回転刃を後側から見たときの回転方向の下流側の側部が下側で前記回転刃の回転軸線を水平となるように起立させたときに、前記カバーが地面に接触しない位置に前記接地部を設けたことを特徴とする刈払機。
【請求項３】
請求項１または２に記載の刈払機において、
前記ガード体はワイヤ材を屈曲して形成したことを特徴とする刈払機。
【請求項４】
刈払機の支持棹の前端部に設けた回転刃を保護する刈払機の回転刃のガード体であり、
前記支持棹の前端部にて前記回転刃の回転範囲の前縁部よりも前側に設けられて前記回転刃の回転範囲の前側を保護する円弧形の前側ガード部と、前記回転刃の回転軸線を水平となるように起立させたときに直線、直線と円弧形、または、前記前側ガード部よりも曲率半径の大きな円弧形の外周部で地面に接地する接地部とを有した刈払機の回転刃のガード体。
【発明の詳細な説明】
【技術分野】
【０００１】
本発明は、芝、草等を刈り払う刈払機及び刈払機の回転刃のガード体に関し、特に、回転刃を起立させて建物等の構造物との境界部分に生える草を切断する所謂、際刈りをするのに適した刈払機及び刈払機の回転刃のガード体に関する。
【背景技術】
【０００２】
特許文献１には、芝、草等を刈り払う刈払機が開示されている。この刈払機は、支持棹の前端部に設けたモータハウジングと、モータハウジングの内部に設けた電動モータと、モータハウジングの下側に回転可能に設けた回転刃と、支持棹の前端部のモータハウジングに取り付けられて回転刃の後側を覆うカバーと、支持棹の前端部のモータハウジングにて回転刃の回転範囲の前縁部よりも前方に突出して設けたガード体とを備えている。この刈払機に用いられている回転刃はナイロンコードを用いたものあり、ナイロンコードを用いた回転刃は細い草や芝等を刈り払うのに適している。カバーは回転刃により切断した芝や草が作業者側に飛散するのを防止するものであり、カバーは回転刃の後側にて回転刃の回転方向の上流側の側部位置から下流側の側部位置の一部を覆う扇形をしている。また、ガード体は、回転刃の回転範囲の前縁が建物等の構造物に接触するのを防ぐためのものであり、前縁に半円形をした半円部と、半円部の両端を後側に延出させてモータハウジングに接続した接続部とを備え、ワイヤ等の金属線材を屈曲させたものである。
【０００３】
この刈払機においては、回転刃の回転軸線を地面に対して略垂直となる、即ち、回転刃の回転範囲を地面に略平行となるようにして、電動モータによって回転刃を回転させた状態として、支持棹の操作によって回転刃を地面に沿って水平に揺動させると、芝、草等が回転刃によって切断されて刈り払われる。このような刈払機を用いて建物等の構造物との境界部分に生える芝、草等を刈る所謂、際刈りをするときには、回転刃の回転軸線を水平となるように回転刃を起立させて、ガード体の斜め前部を地面に接触させながら、回転する回転刃を建物等の構造物に沿って移動させることで、建物等の構造物の境界部分に生える芝、草等を刈り取ることができる。
【先行技術文献】
【特許文献】
【０００４】
【特許文献１】特開２０１３−０３４４０４号公報
【発明の概要】
【発明が解決しようとする課題】
【０００５】
上記の特許文献１に記載の刈払機においては、上述したように回転刃の回転軸線を水平となるように上下に起立させて際刈りをするときには、ガード体の斜め前部を地面に接触させながら、建物等の構造物の境界部分に生える芝、草等を刈るようにしている。この刈払機で際刈りをしたときに、ガード体の前部は半円形であるため、地面に接するガード体の斜め前部が地面に対して点接触することとなり、地面に接触させたガード体を建物等の構造物の境界部分に沿って直線的に移動させにくく、刈り際の出来が良好とならない問題があった。本発明は、際刈りをしたときの刈り際を良好にできる刈払機及び刈払機の回転刃のガード体を提供することを目的とする。
【課題を解決するための手段】
【０００６】
上記課題を解決するために、本発明は、支持棹の前端部に回転可能に設けた回転刃と、支持棹の前端部にて回転刃の回転範囲の前縁部よりも前側に設けられて回転刃の回転範囲の前側を保護する円弧形の前側ガード部と、回転刃の回転軸線を水平となるように起立させたときに直線、直線と円弧形、または、前側ガード部よりも曲率半径の大きな円弧形の外周部で地面に接地する接地部とを有したガード体と、を備えたことを特徴とする刈払機を提供するものである。
【０００７】
上記のように構成した刈払機においては、回転刃の回転軸線を水平となるように起立させた状態でガード体の接地部を構造物に沿うように地面に線接触で接地させて、ガード体の接地部を地面に線接触させた直線方向に沿うように移動させれば、構造物の境界部分に沿って直線的に際刈りをすることができ、際刈りをしたときの刈り際を良好にすることができた。
【０００８】
上記のように構成した刈払機においては、支持棹の前端部にて回転刃の回転範囲の後側を覆うように設けたカバーを備え、カバーは回転刃の後側にて回転刃の回転方向の上流側の側部位置から下流側の側部の一部を覆う扇形をしており、回転刃を後側から見たときの回転方向の下流側の側部が下側で回転刃の回転軸線を水平となるように起立させたときに、カバーが地面に接触しない位置に接地部を設けるのが好ましい。このようにしたときには、カバーの下流側の側部を地面に接触しないように接地部を地面に接地させることができるようになる。また、この刈払機においては、ガード体はワイヤ材を屈曲して形成するのが好ましい。
【０００９】
また、上記課題を解決するために、本発明は、刈払機の支持棹の前端部に設けた回転刃を保護する刈払機の回転刃のガード体であり、支持棹の前端部にて回転刃の回転範囲の前縁部よりも前側に設けられて回転刃の回転範囲の前側を保護する円弧形の前側ガード部と、回転刃の回転軸線を水平となるように起立させたときに直線、直線と円弧形、または、前側ガード部よりも曲率半径の大きな円弧形の外周部で地面に接地する接地部とを有した刈払機の回転刃のガード体を提供するものである。
【００１０】
このように構成した刈払機の回転刃のガード体を支持棹の前端部に取り付けるようにして、回転刃の回転軸線を水平となるように起立させた状態でガード体の接地部を構造物に沿うように地面に線接触で接地させて、ガード体の接地部を地面に線接触させた直線方向に沿うように移動させれば、構造物の境界部分に沿って直線的に際刈りをすることができ、際刈りをしたときの刈り際を良好にすることができた。
【図面の簡単な説明】
【００１１】
【図１】本発明の刈払機の斜視図である。
【図２】刈払機の前端部の平面図である。
【図３】際刈りをするときの概略図である。
【図４】際刈りをするときの刈払機の前端部の拡大図である。
【発明を実施するための最良の形態】
【００１２】
以下に、本発明の刈払機及び刈払機の回転刃のガード体の実施形態を添付図面を参照して説明する。図１に示したように、刈払機１０は、前後方向に延びる細長い円筒形をした支持棹１１と、支持棹１１の前端部に設けたモータユニット１２と、支持棹１１の後端部に設けたコントロールユニット３０とを備えている。
【００１３】
図１に示したように、モータユニット１２は支持棹１１の前端部に固定されたモータハウジング１３と、モータハウジング１３内に設けた電動モータ（図示省略）とを備えている。電動モータの駆動によって回転する回転軸（図示省略）はモータハウジング１３から下側に突出して設けられている。回転軸には回転刃１４が着脱可能に取り付けられている。この実施形態の回転刃１４はナイロンコードカッタを用いたものであり、コードリールとコードリールから延びる紐状のナイロンコードから構成されている。回転刃１４は上側から見たときに時計回りに回転するものである。
【００１４】
図１に示したように、支持棹１１の前端部には回転刃１４の後側を覆うカバー１５が設けられており、カバー１５はモータハウジング１３を介して支持棹１１の前端部に取り付けられている。カバー１５は回転刃１４により切断した芝や草が作業者側に飛散するのを防止するものである。図２に示したように、カバー１５は回転刃１４の後側にて回転刃１４の回転方向の上流側の側部位置から下流側の側部の一部（前後に伸びる支持棹１１の右側部から左側部の一部）を覆う扇形をしており、具体的には、上側からみて上流側の側部位置となる３時の位置から下流側の側部の位置となる７．５時の位置までを覆う扇形をして、下流側となる左側の側部を覆う範囲を狭くするようにしている。この刈払機１０で図３に示したような所謂際刈りをするときには、回転刃１４の回転軸線を水平方向となるように回転刃１４を起立させるとともに、カバー１５の左側の側部が地面に接触しない角度に傾けて、回転刃１４の斜め前部が最も下側となるようにし、回転する回転刃１４によって芝、草等を切断するように使用する。
【００１５】
図１及び図２に示したように、支持棹１１の前端部にはモータハウジング１３を介してガード体２０が着脱可能に取り付けられており、ガード体２０はワイヤ材等の金属線材を屈曲させたものである。ガード体２０は回転刃１４の上側で回転刃１４の回転範囲１４ａの前縁部よりも前方に突出して設けられており、回転する回転刃１４が建物等の構造物に接触するのを防ぐ機能を有している。ガード体２０は、モータハウジング１３の幅方向の両側から前方に延びて先端部が左右の外側に湾曲する前方突出部２１と、前方突出部２１の先端から内側の斜め前方に延びる台形斜辺部２２と、左右の台形斜辺部２２の先端部を互いに結ぶ前側に大きく湾曲した円弧形の前側ガード部２３とを備えている。ガード体２０はモータハウジング１３から前方に突き出るようにして回転刃１４が構造物に接触するのを防ぐ保護位置と、前側を上方に回動させることによって待避させる待避位置との間でモータハウジング１３に回動可能に取り付けられている。
【００１６】
図２に示したように、左側の台形斜辺部２２はガード体２０の左側の斜め前部に位置し、後側からみて回転刃１４の回転方向Ｒの下流側に位置している。図３及び図４に示したように、回転刃１４の回転軸線を水平となるようにして、回転刃１４の回転範囲１４ａの斜め左前部を最も低い位置で起立させたときに、左側の台形斜辺部２２はカバー１５の下流側となる左側の側部が地面に接触しない位置で、芝、草等の生える地面に線接触で接地させる接地部２２として機能している。
【００１７】
ガード体２０の接地部２２は、起立させた回転刃１４の外周部が地面に生える芝や草等を切断できる位置で位置決めする機能を有している。接地部２２は回転刃１４の回転軸線を水平となるように起立させたときに直線、直線と円弧形、前側ガード部２３よりも曲率半径の大きな円弧形の外周部で地面に接地するようにしたものである。この実施形態の接地部２２は１０ｍｍの直線部２２ａと、直線部２２ａの両側にて曲率半径が２０ｍｍの円弧部２２ｂの端部とによって地面に線接触で接地可能となっており、３０ｍｍの長さで地面に線接触で接地可能となっている。図４に示したように、地面に線接触で接地可能な接地部２２の延長線Ｅ上にはカバー１５の左側の側部が位置しないようになっている。
【００１８】
なお、接地部２２はこの実施形態では３０ｍｍの長さで地面に線接触で設置可能としたものであるが、本発明はこれに限られるものでなく、接地部２２は地面に２０ｍｍ以上の長さで線接触させるようにするのが好ましい。また、接地部２２の直線部２２ａの長さが長いほどよいが、直線部２２ａの長さが５ｍｍ以上で、直線部２２ａの少なくとも一方の端部に２０ｍｍ以上の曲率半径の円弧部２２ｂの端部によって、地面に線接触で接地可能としたものであってもよい。さらに、この実施形態の前側ガード部２３は曲率半径が１３０ｍｍとしたものであるが、接地部２２を前側ガード部２３の曲率半径よりも大きな曲率半径を有する円弧形の外周部を有するようにして、大きな円弧側の外周部によって地面に線接触で接地させるようにしたものであってもよい。接地部２２を接地させる地面は、芝や草等が生える土のような柔らかい地面であるため、接地部２２には直線部２２ａの少なくとも一方に２０ｍｍ以上の曲率半径の円弧部２２ｂを含むものや、前側ガード部２３よりも大きな曲率半径を有する円弧形の外周部であれば地面に線接触で接地可能となっている。
【００１９】
図１に示したように、コントロールユニット３０は支持棹１１の後端部に固定したコントロールハウジング３１と、コントロールハウジング３１内に電動モータの作動を制御するコントローラとを備えている。また、コントロールハウジング３１の下部には電動モータに給電するバッテリパック３２が着脱可能に取り付けられており、バッテリパック３２は支持棹１１内に配設した電気コードによって電動モータに接続されている。
【００２０】
図１に示したように、支持棹１１の前後方向の中間部には作業者が把持する略環状の前側操作ハンドル３３が設けられており、コントロールハウジング３１の後部には略環状の後側操作ハンドル３４が一体的に設けられている。後側操作ハンドル３４には電動モータを駆動させるスイッチ３５が設けられており、電動モータはスイッチ３５のオン操作によってバッテリパック３２からの給電を受けて駆動する。
【００２１】
この刈払機１０においては、回転刃１４の回転軸線を地面に対して略垂直となる、即ち、回転刃１４の回転範囲１４ａを地面に略平行となるようにして、電動モータによって回転刃１４を回転させた状態で、支持棹１１の操作によって回転刃１４を地面に沿って水平に揺動させると、芝、草等が回転する回転刃１４によって切断されて刈り払われる。図３及び図４に示したように、この刈払機１０を用いて建物等の構造物との境界部分に生える芝、草等を刈る所謂、際刈りをするときには、回転刃１４の回転軸線を水平となるように回転刃１４を起立させて、ガード体２０の左斜め前部の接地部２２を芝、草等の生える地面に接地させる。このとき、地面に線接触で接地される接地部２２の延長線Ｅ上にはカバー１５の左側の側部が位置しないようになっているので、接地部２２を地面に接地させてもカバー１５の左側の側部が地面に接触しない。ガード体２０の接地部２２を建物等の構造物と平行となるように配置し、接地部２２を地面に接触させながらその直線的に延びる方向に沿って移動させると、回転する回転刃１４を建物等の構造物に沿って移動させるようにでき、建物等の構造物の境界部分に生える芝、草等を直線的なきれいな刈際で切断することができる。
【００２２】
上記のように構成した刈払機は、支持棹１１の前端部にて回転刃１４の回転範囲１４ａの前縁部よりも前側に設けられて回転刃１４の回転範囲１４ａの前側を保護する円弧形の前側ガード部２３と、回転刃１４の回転軸線を水平となるように起立させたときに直線部直線部２２ａと円弧部２２ｂを連続させた外周部で地面に接地する接地部２２とを有したガード体２０とを備えた。回転刃１４の回転軸線を水平となるように起立させた状態でガード体２０の接地部２２を構造物に沿うように地面に線接触で接地させて、ガード体２０の接地部２２を地面に線接触させた直線方向に沿うように移動させれば、構造物の境界部分に沿って直線的に際刈りをすることができ、際刈りをしたときの刈り際を良好にすることができた。なお、接地部２２は直線部２２ａと円弧部２２ｂとを連続させた外周部に限られるものでなく、直線のみの外周部または円弧形の前側ガード部２３の曲率半径よりも大きな曲率半径を有した円弧形の外周部を有したものであってもよく、このようにしたときでも、接地部２２を地面に線接触で接地させることができる。
【００２３】
また、この刈払機１０は、支持棹１１の前端部にて回転刃１４の回転範囲１４ａの後側を覆うように設けたカバー１５を備え、カバー１５は回転刃１４の後側にて回転刃１４の回転方向の上流側の側部位置から下流側の側部の一部を覆う扇形をしている。回転刃１４を後側から見たときの回転方向の下流側の側部が下側で回転刃１４の回転軸線を水平となるように起立させたときに、カバー１５が地面に接触しない位置に接地部２２を設けるようにしている。これによって、カバー１５の下流側の側部を地面に接触しないように接地部２２を地面に接地させることができるようになる。
【００２４】
上記のように構成した刈払機においては、回転刃１４には紐状のナイロンコードを用いたものであるが、本発明はこれに限られるものでなく、円弧形をしたブレードよりなる回転刃や、円板の周部に刃部を有した回転刃を用いたものであってもよい。
【００２５】
上記のように構成した刈払機においては、ガード体にはワイヤ等の金属線材を屈曲させたものであるが、本発明はこれに限られるものでなく、ワイヤなどの金属線材の内側に網材を設けたものであってもよいし、板形状したものであってもよい。
【符号の説明】
【００２６】
１０…刈払機、１１…支持棹、１４…回転刃、１５…カバー、２０…ガード体、２２…接地部。
【図１】
2019062762.tif 000003
【図２】
2019062762.tif 000004
【図３】
2019062762.tif 000005
【図４】
2019062762.tif 000006